(57)【要約】【課題】複雑な形状の巻真スペーサだと成形時にヒケや反りや離型変形等があり平面形状位置精度の信頼性が悪く、時計外装との保持固定が確実に行えなかった。【解決手段】金型設計上の平面位置と成形時の平面位置が異なる平面形状を有する巻真スペーサ１８と平面位置精度の良い回路支持台１９とを有し、巻真スペーサの成形時に変形する半島形状２１の平面部位に係合部２２を設けるとともに、回路支持台に被係合部２３を設け、巻真スペーサ１８の係合部２２と回路支持台１９の被係合部２３とを係合させることにより、巻真スペーサ１８の成形時に変形した平面部位２１を正しい平面位置に移動させる。【選択図】      図１
2004340701.tif 000002
【特許請求の範囲】
【請求項１】
金型設計上の平面位置と成形時の平面位置が異なる平面形状を有する樹脂製の成形部材と平面位置精度の良い基準位置部材とを有し、前記成形部材の成形時に変形する平面部位に係合部を設けるとともに、前記基準位置部材に被係合部を設け、前記成形部材の前記係合部と前記基準位置部材の被係合部とを係合させることにより、前記成形部材の成形時に変形した平面部位を正しい平面位置に移動させたことを特徴とする時計ムーブメント構造。
【請求項２】
前記成形部材の成形時に変形する平面部位の形状が半島形状を有していることを特徴とする請求項１記載の時計ムーブメント構造。
【請求項３】
前記成形部材の前記係合部は凸部であり、前記基準位置部材の被係合部は前記凸部と係合する凹部又は穴部であることを特徴とする請求項１または請求項２記載の時計ムーブメント構造。
【請求項４】
前記成形部材は巻真スペーサであり、前記基準位置部材は回路支持台であることを特徴とする請求項１乃至請求項３のいずれかに記載の時計ムーブメント構造。
【発明の詳細な説明】
【０００１】
【発明の属する技術分野】
本発明は時計ムーブメント構造に関するものである。
【０００２】
【従来の技術】
一般に水晶発振器などを利用し、電子回路に正確な周期的電気信号を発生させ、時を刻み表示するクオーツ時計の電子時計が知られている。このような電子時計の腕時計では機械式腕時計と同様、ムーブメントサイズの薄型化、小型化が望まれている。しかし、電子時計では近年流行りの、クロノグラフ機能付腕時計や日付等を電子的に駆動するパーペチュアルカレンダー等など、ムーブメント内に幾つものモーターを保有するものが多々あり、ムーブメントサイズが大きくなる傾向があった。
【０００３】
ところで、上記ようなムーブメント内に幾つものモーターを保有する電子時計の１つであるクロノグラフ機能付電子時計に関しては、従来より、多くの出願を見るところである（例えば特許文献１、特許文献２参照。）。
【０００４】
【特許文献１】
実開平７−５０９８号公報（第１０−１２頁、図１、図２）
特開平９−１５３５１号公報（第３−４頁、図１）
【０００５】
【発明が解決しようとする課題】
以下に従来のクロノグラフ機能付電子時計の概略構造を図面を用いて説明する。図５は、従来の男持のクロノグラフ機能付電子時計の要部平面図である。図において、１は時計部品を載置する地板、２は通常時刻駆動用モーター、３は該通常時刻駆動用モーター２により駆動される歯車輪列（図示せず）を軸支する中受、４はクロノグラフ駆動用モーター、５は該クロノグラフ駆動用モーター４により駆動される歯車輪列（図示せず）を軸支する輪列受、６は電子時計の電源となる電池、７は電子部品の１つである水晶振動子、８は前記各種機構の位置決めや保持固定を行う成形部材の巻真スペーサである。
【０００６】
そして図のように、地板１上には、通常時刻駆動用モーター２、中受３、クロノグラフ駆動用モーター４、輪列受５、電池６、水晶振動子７等の電子部品や制御回路を構成するＩＣチップ等が実装された図示されていない回路基板、外部より時刻修正をする際に必要な図示されていない裏回り機構、巻真スペーサ８などが所定のムーブメントサイズの中に収まるように設計配置されている。
【０００７】
前記巻真スペーサ８は、前記各種機構の位置決めや保持固定を行う為、各種部品を逃げた平面、断面形状とする必要があるが、男持の時計の場合はもともとムーブメントサイズが大きいので、上記各種部品を逃げた場合でも製品としての残肉があり形状が成り立っていた。また、男持の時計の場合、巻真スペーサ８の平面サイズは地板１と同等のムーブメントサイズで構成できるため、時計外装（図示せず）との保持にも有効な最外径が確保できていた。
【０００８】
しかしながら、女持の時計でムーブメントサイズが小さく、且つクロノグラフ機構等を有する腕時計においては、地板上には上記部品以外に多機能としての付加部品までも追加配置する必要があるため、狭いスペースに機能的に設計配置することは至難の技であった。
【０００９】
特に、上述した巻真スペーサの構造において、ムーブメントサイズが大きければ巻真スペーサの形状も比較的自由な形状を設定できるが、ムーブメントサイズが小さいと前述の部品類を逃げながらの形状設定が複雑になり、製品としての残肉が取れなくなったり、平面的につながりのない半島状の部分ができてしまったりするため、巻真スペーサの成形時に発生する変形を防止する事が非常に難しかった。また、平面的にムーブメントサイズと同等サイズの巻真スペーサを確保できないことから時計外装と保持固定に有効に利用できなかった。
【００１０】
本発明は以上の様な従来の問題点を解消し、径小ムーブメントに対応し、平面位置精度の良い、信頼性に優れた時計ムーブメント構造を提供することを目的としている。
【００１１】
【課題を解決するための手段】
上記目的を達成するための本発明の要旨は、金型設計上の平面位置と成形時の平面位置が異なる平面形状を有する樹脂製の成形部材と平面位置精度の良い基準位置部材とを有し、前記成形部材の成形時に変形する平面部位に係合部を設けるとともに、前記基準位置部材に被係合部を設け、前記成形部材の前記係合部と前記基準位置部材の被係合部とを係合させることにより、前記成形部材の成形時に変形した平面部位を正しい平面位置に移動させたことを特徴とする。
【００１２】
この構成によれば、成形時に成形部材がたとえ変形して平面位置がずれたとしても、基準位置部材の被係合部に成形部材の係合部を係合させる事によって、成形部材の成形時に変形した平面部位を正しい平面位置に移動させることができるので、従来成形時に変形するために採用を見送られていた形状の成形部品を時計部品として使用できる。
【００１３】
また、前記成形部材の成形時に変形する平面部位の形状が半島形状を有していることを特徴とする。
【００１４】
この構成によれば、従来タブーとされていた平面部位の形状が半島形状の成形部材を時計部品として採用できる。
【００１５】
また、前記成形部材の前記係合部は凸部であり、前記基準位置部材の被係合部は前記凸部と係合する凹部又は穴部であることを特徴とする。
【００１６】
この構成によれば、成形時に変形しやすい成形部材の方の残肉を減らす方向でなく、肉盛する方向のため、成形部材の成形も楽になり、変形も少なくする事ができる。
【００１７】
また、前記成形部材は巻真スペーサであり、前記基準位置部材は回路支持台であることを特徴とする。
【００１８】
この構成によれば、女持の時計のようなムーブメントサイズが小さく、且つクロノグラフ機構等を有する腕時計における巻真スペーサの設計の制約がなくなり、小型の多機能時計のムーブメントの設計が可能となる。
【００１９】
【発明の実施の形態】
以下に本発明の実施形態を図面に基づいて説明する。
図１は、本発明の一実施形態を示す女持サイズのクロノグラフ機能を備えた電子時計の要部平面図で、本実施形態では時計用の電源としてソーラセルを用いたソーラセル付電子時計を示している。図２は、図１のＡ−Ａ断面図、図３は、図１の巻真スペーサの要部平面図、図４は、図１の回路支持台の要部平面図である。
【００２０】
図１において、１０は時計部品を載置するための地板で、該地板１０のサイズを指してムーブメントサイズと称している。１１は通常時刻駆動用モーター、１２は該通常時刻駆動用モーター１１により駆動される歯車輪列（図示せず）を軸支する中受、１３はクロノグラフ駆動用モーター、１４は該クロノグラフ駆動用モーター４により駆動される歯車輪列（図示せず）を軸支する輪列受、１５はソーラセル２５（図２参照）で発電した電力を充電し、電子時計の電源として使用される二次電池、１６は電子部品の１つである水晶振動子、１７は外部より時刻修正をする際に必要な裏回り機構、１８は前記各種機構の位置決めや保持固定を行う樹脂製の成形部材である巻真スペーサ、１９はクロノグラフ機構を構成する上記部品以外の付加部品の位置決めや保持固定を行う成形部材からなる回路支持台、２０は外部より操作する際に必要な支持板である。
【００２１】
そして図１のように、前記地板１０上には、通常時刻駆動用モーター１１、中受１２、クロノグラフ駆動用モーター１３、輪列受１４、電池１５、水晶振動子１６等の電子部品や制御回路を構成するＩＣチップ等を実装した回路基板２６（図２参照）、裏回り機構１７、巻真スペーサ１８、回路支持台１９、支持板２０などが所定のムーブメントサイズの中に収まるように設計配置されている。
【００２２】
なお、前記巻真スペーサ１８は、該巻真スペーサ１８とほぼ同じ断面厚さを有する通常時刻駆動用モーター１１やクロノグラフ駆動用モーター１３と断面的に重ねる事ができないため、通常時刻駆動用モーター１１やクロノグラフ駆動用モーター１３を逃げる必要がある。
【００２３】
また、巻真スペーサ１８は、図示していない歯車輪列、中受１２、輪列受１４、電池１５、水晶振動子１６、裏回り機構１７、支持板２０等の形状を逃げて設定する必要もあるため、結局、図３に示すように、本発明の一実施形態における女持サイズの電子時計においては、通常時刻駆動用モーター１１とクロノグラフ駆動用モーター１３との平面全周を繋ぐことができていない。
【００２４】
さらに本実施形態ではソーラセル付電子時計ということもあり、前記ソーラセル２５と前記回路基板２６とを電気的に接続する必要があるが、女持時計という限られたムーブメントの中央領域に前記ソーラセル２５と前記回路基板２６とを電気的に接続する為の接続バネ２７を配置するのは困難であり、接続バネ２７のガイド穴１８ａをムーブメント外周に設けざるを得ない為、巻真スペーサ１８の平面部位の一部を本発明の一実施形態では半島形状２１として接続バネ２７のガイド穴１８ａ部を確保している。
【００２５】
そのため、成形品である巻真スペーサ１８は半島形状２１の平面部位において成形時におけるヒケや反りや離型変形が起こり易く、金型設計上の平面位置と成形時の平面位置が異なる物となっている。
【００２６】
一方、回路支持台１９は、通常時刻駆動用モーター１１やクロノグラフ駆動用モーター１３と断面的に重ねる事ができるため、図４に示すように本発明の一実施形態では回路支持台１９はモジュール全体をほぼ覆うような安定した形状にする事が可能であり、平面位置精度の良い基準位置部材として利用可能となっている。
【００２７】
２２は巻真スペーサ１８の半島形状２１の平面部位に設けた係合部である凸部、２３は平面位置精度が良い部材である回路支持台１９に設けた被係合部としての穴部で、図２のように巻真スペーサ１８の半島形状２１の平面部位に設けた凸部２２を、半島形状２１の弾性を利用して移動し、回路支持台１９に設けた穴部２３に係合させることにより、巻真スペーサ１８の半島形状２１の成形時に変形した平面部位を回路支持台１９により正しい平面位置に移動することができている。
【００２８】
この結果、巻真スペーサ１８を時計外装との保持固定に有効に利用できばかりか、巻真スペーサ１８に設けた接続バネ２７のガイド穴１８ａも正しい平面位置に移動することができ、接続バネ２７とソーラセル２５の図示されていない電極とを正しい位置において電気的に接続することが可能となっている。
【００２９】
なお、上記した回路支持台１９の被係合部として穴部２３で構成したが、凹部で構成してもなんら問題はない。
【００３０】
以上のように本発明によれば、巻真スペーサ１８の半島形状２１部が成形時に変形しても係合部の凸部２２が回路支持台１９の被係合部の穴部２３と係合し半島形状２１を正しい平面位置に移動し、あたかも巻真スペーサ１８がはじめから平面位置精度の良い部品であったかのように扱う事が可能となる。
【００３１】
なお、本発明の一実施形態では平面位置精度が良い部材として回路支持台１９を使用したが、もちろん地板１０でも良い。
【００３２】
【発明の効果】
以上の様に本発明によれば、径小ムーブメントに対応して、複雑な形状の巻真スペーサでも時計外装との保持固定ができ、平面位置精度の良い、信頼性に優れた時計ムーブメント構造を提供することが可能となる。
【図面の簡単な説明】
【図１】本発明の一実施形態を示す女持サイズのクロノグラフ機能を備えた電子時計の要部平面図である。
【図２】図１のＡ−Ａ断面図である。
【図３】図１の巻真スペーサの要部平面図である。
【図４】図１の回路支持台の要部平面図である。
【図５】従来の男持クロノグラフ機能付電子時計の要部平面図である。
【符号の説明】
１１  通常時刻駆動用モーター
１２  中受
１３  クロノグラフ駆動用モーター
１４  輪列受
１５  電池
１６  水晶振動子
１７  裏回り機構
１８  巻真スペーサ
１９  回路支持台
２０  支持板
２１  半島形状
２２  凸部
２３  穴部
【図１】
2004340701.tif 000003
【図２】
2004340701.tif 000004
【図３】
2004340701.tif 000005
【図４】
2004340701.tif 000006
【図５】
2004340701.tif 000007